(57)【要約】【課題】従来の接続確認方法の場合、接続確認用の特定ページをＷｅｂサーバー上に設置する必要があることから、Ｗｅｂサーバー側において接続確認用の特定ページへの対応が必要となる。【解決手段】Ｗｅｂサーバー上の存在しないページの取得を要求する第１のページ要求部２５と、第１のページ要求部２５の要求に対してのレスポンスを取得するレスポンス取得部２７と、を有する。そして、第１のページ要求部２５の要求に対してレスポンス取得部２７が取得したレスポンスが、前記ページがＷｅｂサーバー上に存在しない旨を示すときに、Ｗｅｂサーバーへ接続可能であると判定する接続判定部２８と、を有する。【選択図】図２
2011221892.tif 000002
【特許請求の範囲】
【請求項１】
情報処理装置からネットワークを介してサーバーへの接続確認を行う情報処理システムであって、
前記情報処理装置は、
前記サーバー上の存在しないページの取得を要求する第１のページ要求部と、
前記第１のページ要求部の要求に対してのレスポンスを取得するレスポンス取得部と、
前記第１のページ要求部の要求に対して前記レスポンス取得部が取得したレスポンスが、前記ページが前記サーバー上に存在しない旨を示すときに、前記サーバーへ接続可能であると判定する接続判定部とを有することを特徴とする情報処理システム。
【請求項２】
前記サーバー上の存在するページの取得を要求する第２のページ要求部、を更に備え、
前記レスポンス取得部は、前記第２のページ要求部の要求に対してのレスポンスを更に取得し、
前記接続判定部は、前記第１のページ要求部の要求に対して前記レスポンス取得部が取得したレスポンスが前記サーバー上に存在しないページである旨を示し、且つ前記第２のページ要求部の要求に対して前記レスポンス取得部が取得したレスポンスが前記サーバー上に存在するページである旨を示すときに、前記サーバーへ接続可能であると判定することを特徴とする請求項１に記載の情報処理システム。
【請求項３】
前記第１のページ要求部が要求する前記サーバー上の存在しないページを示すアドレス情報には、前記情報処理装置の識別、前記情報処理装置のユーザーの識別及び前記情報処理装置に接続されるデバイスの識別の少なくとも１つの情報が付加され、
前記サーバーは、前記付加された情報をログ情報に含めて記録することを特徴とする請求項１又は２に記載の情報処理システム。
【請求項４】
前記レスポンス取得部が取得する前記サーバー上に存在しないページである旨を示すレスポンスは、ＨＴＴＰプロトコルのステータスコード４０４であり、前記サーバー上に存在するページである旨を示すレスポンスは、ＨＴＴＰプロトコルのステータスコード２００であることを特徴とする請求項１から３のいずれか一項に記載の情報処理システム。
【請求項５】
ネットワークを介してサーバーへの接続確認を行う情報処理装置であって、
前記サーバー上の存在しないページの取得を要求する第１のページ要求部と、
前記第１のページ要求部の要求に対してのレスポンスを取得するレスポンス取得部と、
前記第１のページ要求部の要求に対して前記レスポンス取得部が取得したレスポンスが、前記ページが前記サーバー上に存在しない旨を示すときに、前記サーバーへ接続可能であると判定する接続判定部とを有することを特徴とする情報処理装置。
【請求項６】
ネットワークを介してサーバーへの接続確認を行う情報処理方法であって、
前記サーバー上の存在しないページの取得を要求する第１のページ要求工程と、
前記第１のページ要求工程における要求に対してのレスポンスを取得するレスポンス取得工程と、
前記第１のページ要求工程における要求に対して前記レスポンス取得工程において取得したレスポンスが、前記ページが前記サーバー上に存在しない旨を示すときに、前記サーバーへ接続可能であると判定する接続判定工程とを有することを特徴とする情報処理方法。
【請求項７】
ネットワークを介してサーバーへの接続確認を行う情報処理プログラムであって、
前記サーバー上の存在しないページの取得を要求する第１のページ要求機能と、
前記第１のページ要求機能における要求に対してのレスポンスを取得するレスポンス取得機能と、
前記第１のページ要求機能における要求に対して前記レスポンス取得機能において取得したレスポンスが、前記ページが前記サーバー上に存在しない旨を示すときに、前記サーバーへ接続可能であると判定する接続判定機能とを有することを特徴とする情報処理プログラム。
【発明の詳細な説明】
【技術分野】
【０００１】
本発明は、情報処理システム、情報処理装置、情報処理方法及び情報処理プログラムに関する。
【背景技術】
【０００２】
企業内のイントラネット上に存在するクライアントからインターネット等を介してＷｅｂサーバーへアクセスしようとした場合、多くのケースでファイアーウォールが設定されている。このため、例えばＤＮＳサーバーやプロキシサーバー等の設定を正しく行わないと、対象とするＷｅｂサーバーへアクセスすることができなくなる。これに対処するため、従来、クライアントから対象とするＷｅｂサーバーへの接続確認を以下のような手順で行っている。
１．クライアントから対象Ｗｅｂサーバーの接続確認用の特定ページにアクセスする。
２．アクセスしたページ内容をクライアント側で確認し、正しく接続できたか否かを判定する。
また、例えば、特許文献１では、ｐｉｎｇ等の経路検索コマンドを実行することにより、クライアントから対象とするＷｅｂサーバーへの接続確認を行うようにしている。
【先行技術文献】
【特許文献】
【０００３】
【特許文献１】特開２００６−１４６４４２号公報
【発明の概要】
【発明が解決しようとする課題】
【０００４】
しかしながら、上記したような従来の接続確認方法の場合、接続確認用の特定ページをＷｅｂサーバー上に設置する必要があることから、Ｗｅｂサーバー側において接続確認用の特定ページへの対応が必要となる。更に、Ｗｅｂサーバー側において接続確認用の特定ページをアップロードするための転送負荷が生じてしまう。一方、クライアント側でも、接続確認用の特定ページについてデータ内容の評価ロジックが必要となる。
また、特許文献１に記載されているようなｐｉｎｇ等の経路検索コマンドを実行する方法の場合、イントラネット上のクライアントからファイアーウォールを介してＷｅｂサーバーへアクセスする環境下では、接続確認を行うことが困難となる。
【課題を解決するための手段】
【０００５】
本発明は、上述の課題の少なくとも一部を解決するためになされたものであり、以下の形態又は適用例として実現することが可能である。
【０００６】
［適用例１］情報処理装置からネットワークを介してサーバーへの接続確認を行う情報処理システムであって、前記情報処理装置は、前記サーバー上の存在しないページの取得を要求する第１のページ要求部と、前記第１のページ要求部の要求に対してのレスポンスを取得するレスポンス取得部と、前記第１のページ要求部の要求に対して前記レスポンス取得部が取得したレスポンスが、前記ページが前記サーバー上に存在しない旨を示すときに、前記サーバーへ接続可能であると判定する接続判定部とを有することを特徴とする情報処理システム。
【０００７】
上記した情報処理システムによれば、第１のページ要求部の要求に対して、レスポンス取得部がサーバー上に存在しないページである旨のレスポンスを取得したときに、接続判定部が、サーバーへ接続可能であると判定する。
サーバー上の存在しないページの取得の要求に対して、サーバー上に存在しないページである旨のレスポンスを取得することにより、情報処理装置からネットワークを介してサーバーへ実際にアクセスできることを確認することができる。
【０００８】
［適用例２］前記サーバー上の存在するページの取得を要求する第２のページ要求部、を更に備え、前記レスポンス取得部は、前記第２のページ要求部の要求に対してのレスポンスを更に取得し、前記接続判定部は、前記第１のページ要求部の要求に対して前記レスポンス取得部が取得したレスポンスが前記サーバー上に存在しないページである旨を示し、且つ前記第２のページ要求部の要求に対して前記レスポンス取得部が取得したレスポンスが前記サーバー上に存在するページである旨を示すときに、前記サーバーへ接続可能であると判定することを特徴とする上記情報処理システム。
【０００９】
上記した情報処理システムによれば、第１のページ要求部の要求に対して、レスポンス取得部がサーバー上に存在しないページである旨のレスポンスを取得し、且つ、第２のページ要求部の要求に対して、レスポンス取得部がサーバー上に存在するページである旨のレスポンスを取得したときに、接続判定部が、サーバーへ接続可能であると判定する。
サーバー上の存在しないページの取得の要求に対して、サーバー上に存在しないページである旨のレスポンスを取得し、且つ、サーバー上の存在するページの取得の要求に対して、サーバー上に存在するページである旨のレスポンスを取得することにより、情報処理装置からネットワークを介してサーバーへアクセスした結果、サーバーに正常に接続できることを確認することができる。
【００１０】
［適用例３］前記第１のページ要求部が要求する前記サーバー上の存在しないページを示すアドレス情報には、前記情報処理装置の識別、前記情報処理装置のユーザーの識別及び前記情報処理装置に接続されるデバイスの識別の少なくとも１つの情報が付加され、前記サーバーは、前記付加された情報をログ情報に含めて記録することを特徴とする上記情報処理システム。
【００１１】
上記した情報処理システムによれば、サーバーでは、第１のページ要求部の要求を受け付けた際に、サーバー上の存在しないページを示すアドレス情報に付加された情報をログ情報に含めて記録する。これにより、サーバーにおいて、ログ情報に付加された情報に基づいて、サーバーにアクセスした情報処理装置に関する詳細情報を取得することができる。
【００１２】
［適用例４］前記レスポンス取得部が取得する前記サーバー上に存在しないページである旨を示すレスポンスは、ＨＴＴＰプロトコルのステータスコード４０４であり、前記サーバー上に存在するページである旨を示すレスポンスは、ＨＴＴＰプロトコルのステータスコード２００であることを特徴とする上記情報処理システム。
【００１３】
上記した情報処理システムによれば、情報処理装置からネットワークを介してサーバーへの接続確認を行うときに、ＨＴＴＰプロトコルを適用することができる。
【００１４】
［適用例５］ネットワークを介してサーバーへの接続確認を行う情報処理装置であって、前記サーバー上の存在しないページの取得を要求する第１のページ要求部と、前記第１のページ要求部の要求に対してのレスポンスを取得するレスポンス取得部と、前記第１のページ要求部の要求に対して前記レスポンス取得部が取得したレスポンスが、前記ページが前記サーバー上に存在しない旨を示すときに、前記サーバーへ接続可能であると判定する接続判定部とを有することを特徴とする情報処理装置。
【００１５】
上記した情報処理装置によれば、第１のページ要求部の要求に対して、レスポンス取得部がサーバー上に存在しないページである旨のレスポンスを取得したときに、接続判定部が、サーバーへ接続可能であると判定する。
サーバー上の存在しないページの取得の要求に対して、サーバー上に存在しないページである旨のレスポンスを取得することにより、情報処理装置からネットワークを介してサーバーへ実際にアクセスできることを確認することができる。
【００１６】
［適用例６］ネットワークを介してサーバーへの接続確認を行う情報処理方法であって、前記サーバー上の存在しないページの取得を要求する第１のページ要求工程と、前記第１のページ要求工程における要求に対してのレスポンスを取得するレスポンス取得工程と、前記第１のページ要求工程における要求に対して前記レスポンス取得工程において取得したレスポンスが、前記ページが前記サーバー上に存在しない旨を示すときに、前記サーバーへ接続可能であると判定する接続判定工程とを有することを特徴とする情報処理方法。
【００１７】
上記した情報処理方法によれば、第１のページ要求工程における要求に対して、レスポンス取得工程においてサーバー上に存在しないページである旨のレスポンスを取得したときに、接続判定工程においてサーバーへ接続可能であると判定する。
サーバー上の存在しないページの取得の要求に対して、サーバー上に存在しないページである旨のレスポンスを取得することにより、情報処理装置からネットワークを介してサーバーへ実際にアクセスできることを確認することができる。
【００１８】
［適用例７］ネットワークを介してサーバーへの接続確認を行う情報処理プログラムであって、前記サーバー上の存在しないページの取得を要求する第１のページ要求機能と、前記第１のページ要求機能における要求に対してのレスポンスを取得するレスポンス取得機能と、前記第１のページ要求機能における要求に対して前記レスポンス取得機能において取得したレスポンスが、前記ページが前記サーバー上に存在しない旨を示すときに、前記サーバーへ接続可能であると判定する接続判定機能とを有することを特徴とする情報処理プログラム。
【００１９】
上記した情報処理プログラムによれば、第１のページ要求機能における要求に対して、レスポンス取得機能においてサーバー上に存在しないページである旨のレスポンスを取得したときに、接続判定機能においてサーバーへ接続可能であると判定する。
サーバー上の存在しないページの取得の要求に対して、サーバー上に存在しないページである旨のレスポンスを取得することにより、情報処理装置からネットワークを介してサーバーへ実際にアクセスできることを確認することができる。
【図面の簡単な説明】
【００２０】
【図１】情報処理システムの概略構成を示す図。
【図２】ＰＣとＷｅｂサーバーとの機能構成を示す図。
【図３】ＰＣに係る動作を示すフローチャート。
【図４】Ｗｅｂサーバー上の参照ページの例を示す図。
【図５】Ｗｅｂサーバー上の参照ページの変形例を示す図。
【発明を実施するための形態】
【００２１】
以下、本実施形態に係る情報処理システムの例について、図面を参照して説明する。
【００２２】
＜情報処理システムの概略構成＞
図１は、本実施形態に係る情報処理システム１の概略構成を示す図である。同図に示すように、情報処理システム１は、企業内イントラネット１０とＷｅｂサーバー５０とをインターネット８０を介して接続することにより構成されている。
企業内イントラネット１０では、情報処理装置としてのＰＣ（Personal Computer）１１、ネットワークプリンター１２及び図示しないＤＮＳサーバーとプロキシサーバー等がイーサーネット１３に接続されている。また、企業内イントラネット１０と、インターネット８０との間には、ファイアーウォール１４が設置されており、インターネット８０側から企業内イントラネット１０へのアクセスが禁止されている。
【００２３】
ＰＣ１１から出力された印刷ジョブは、イーサーネット１３を介してネットワークプリンター１２に受け渡され、印刷される。また、ＰＣ１１には、Ｗｅｂクライアントソフトが搭載されており、ユーザーは、このＷｅｂクライアントソフトを用いて、インターネット８０を介してＷｅｂサーバー５０にアクセスすることができる。ネットワークプリンター１２は、イーサーネット１３に接続するためのネットワークボード１２ａを備えている。ネットワークプリンター１２は、このネットワークボード１２ａを用いて、インターネット８０を介してＷｅｂサーバー５０にアクセスし、印刷枚数や、トナーの使用量や、エラー情報などの種々の情報をやり取りすることができる。なお、イーサーネット１３には、１つのＰＣ１１及び１つのネットワークプリンター１２に限られず、複数のＰＣ１１及び複数のネットワークプリンター１２等が接続されていても良い。
【００２４】
図２は、ＰＣ１１とＷｅｂサーバー５０との機能構成を示す図である。同図に示すように、ＰＣ１１は通信部２１、操作部２２、表示部２３、環境設定部２４、第１のページ要求部２５、第２のページ要求部２６、レスポンス取得部２７、接続判定部２８等を備えている。
また、Ｗｅｂサーバー５０は、通信部５１、ログ情報記録部５２、コンテンツページ５３ａを保存するコンテンツデータベース５３、ログ情報５４ａを保存するログデータベース５４等を備えている。
【００２５】
ＰＣ１１の通信部２１は、ＰＣ１１の図示しないネットワークインターフェイスを制御することにより、イーサーネット１３に接続されたネットワークプリンター１２と相互通信を行う。また、通信部２１は、インターネット８０を介してＷｅｂサーバー５０と相互通信を行う。このとき通信部２１は、Ｗｅｂサーバー５０に対してＨＴＴＰ（Hyper Text Transfer Protocol）の要求を送り、これに対するＨＴＴＰのレスポンスとしてＨＴＭＬ（Hyper Text Markup Language）で記述された種々の情報を取得する。
なお、Ｗｅｂサーバー５０に対してＨＴＴＰの要求に限られず、セキュリティーの観点から、ＨＴＴＰの一種であるＨＴＴＰＳプロトコルによる暗号化通信が行われても良い。
【００２６】
操作部２２は、ユーザーからの入力操作をキーボードやマウス等により受け付け、表示部２３は、各種画像やメッセージ等を液晶ディスプレイ等に表示する。
【００２７】
環境設定部２４は、ネットワークに関する各種の設定画面を表示部２３を用いて表示し、ユーザーからネットワークに関する設定を操作部２２を用いて受け付け、ネットワークに関する各種設定を行う。第１のページ要求部２５、第２のページ要求部２６、レスポンス取得部２７及び接続判定部２８のそれぞれの機能は、環境設定部２４における一連の機能であり、環境設定部２４においてユーザーが設定したネットワークに関する各種設定内容の検証を行う。
【００２８】
第１のページ要求部２５は、Ｗｅｂサーバー５０のコンテンツデータベース５３のコンテンツページ５３ａに存在しないページの取得を要求する。このため、第１のページ要求部２５は、Ｗｅｂサーバー５０上に存在しないＵＲＬ（Uniform Resource Locator）を指定するＨＴＴＰコマンドを通信部２１により送信する。一方、第２のページ要求部２６は、Ｗｅｂサーバー５０のコンテンツデータベース５３のコンテンツページ５３ａに存在するページの取得を要求する。このため、第２のページ要求部２６は、Ｗｅｂサーバー５０上に存在するＵＲＬを指定するＨＴＴＰコマンドを通信部２１により送信する。図４は、Ｗｅｂサーバー５０上の参照ページの例を示す図である。Ｎｏ．１の参照ページのＵＲＬは、Ｗｅｂサーバー５０のコンテンツページ５３ａに存在しないページを示しており、Ｎｏ．２の参照ページのＵＲＬは、Ｗｅｂサーバー５０のコンテンツページ５３ａに存在するページを示している。
【００２９】
レスポンス取得部２７は、ＰＣ１１から送信したＨＴＴＰコマンドに対してのレスポンスを通信部２１により取得する。接続判定部２８は、レスポンス取得部２７が取得したレスポンスに基づいて、ＰＣ１１からＷｅｂサーバー５０へ接続可能であるか否かを判定する。具体的には、第１のページ要求部２５から送信したＷｅｂサーバー５０上に存在しないＵＲＬのＨＴＴＰコマンドに対して、Ｗｅｂサーバー５０からＨＴＴＰステータスコード４０４（Ｎｏｔ  Ｆｏｕｎｄ）のレスポンスを取得し、且つ第２のページ要求部２６から送信したＷｅｂサーバー５０上に存在するＵＲＬのＨＴＴＰコマンドに対して、Ｗｅｂサーバー５０からＨＴＴＰステータスコード２００(ＯＫ)のレスポンスを取得したときに接続可能であると判断する。
【００３０】
なお、環境設定部２４において設定したネットワークに関する各種の設定内容を、通信部２１によりネットワークプリンター１２に受け渡し、ネットワークプリンター１２のネットワークボード１２ａにおける設定内容とすることができる。
【００３１】
Ｗｅｂサーバー５０の通信部５１は、Ｗｅｂサーバー５０の図示しないネットワークインターフェイスを制御することにより、インターネット８０を介して外部からアクセスしたＰＣ１１及びネットワークプリンター１２等と相互通信を行う。ログ情報記録部５２は、Ｗｅｂサーバー５０に対して外部からアクセスしたＰＣ１１及びネットワークプリンター１２等のログ情報５４ａをログデータベース５４に保存する。
【００３２】
次に、ＰＣ１１に係る動作について説明する。
図３は、ＰＣ１１に係る動作を示すフローチャートである。
【００３３】
先ず、ＰＣ１１は、第１のページ要求部２５により、Ｗｅｂサーバー５０のコンテンツデータベース５３のコンテンツページ５３ａに存在しないページの取得を要求する（ステップＳ１１０）。そして、レスポンス取得部２７により、ページの取得要求に対してのレスポンスを取得し、ＨＴＴＰステータスコードが４０４であるか否かを判定する（ステップＳ１２０）。
【００３４】
ＨＴＴＰステータスコードが４０４の場合（ステップＳ１２０：Ｙｅｓ）は、続けて第２のページ要求部２６により、Ｗｅｂサーバー５０のコンテンツデータベース５３のコンテンツページ５３ａに存在するページの取得を要求し（ステップＳ１３０）、ステップＳ１４０へ進む。
他方、ＨＴＴＰステータスコードが４０４でない場合又は無応答の場合（ステップＳ１２０：Ｎｏ）は、表示部２３により、「Ｗｅｂサーバーへの接続失敗」のメッセージを表示し（ステップＳ１６０）、図３に示すフローチャートの処理を終了する。
【００３５】
ステップＳ１４０では、レスポンス取得部２７により、ページの取得要求に対してのレスポンスを取得し、ＨＴＴＰステータスコードが２００であるか否かを判定する。
【００３６】
ＨＴＴＰステータスコードが２００の場合（ステップＳ１４０：Ｙｅｓ）は、表示部２３により、「Ｗｅｂサーバーへの接続成功」のメッセージを表示し（ステップＳ１５０）、図３に示すフローチャートの処理を終了する。
他方、ＨＴＴＰステータスコードが２００でない場合又は無応答の場合（ステップＳ１４０：Ｎｏ）は、表示部２３により、「Ｗｅｂサーバーへの接続失敗」のメッセージを表示し（ステップＳ１６０）、図３に示すフローチャートの処理を終了する。
【００３７】
なお、図３のフローチャートにおけるステップＳ１１０は、第１のページ要求工程及び第１のページ要求機能に相当する。また、ステップＳ１２０及びステップＳ１４０は、レスポンス取得工程、レスポンス取得機能、接続判定工程及び接続判定機能に相当する。
【００３８】
上述した実施形態では、ＰＣ１１においてネットワークに関する各種設定を行った後、設定内容を検証するために、ＰＣ１１からインターネット８０を介してＷｅｂサーバー５０に接続できるか否かを確認する。その際、最初にＷｅｂサーバー５０上に存在しないページの取得を要求する。この要求に対して、ステータスコード４０４のレスポンスが返ってきた場合、続けて、Ｗｅｂサーバー５０上に存在するページの取得を要求する。そして、この要求に対して、返ってきたレスポンスのステータスコードが２００の場合、「Ｗｅｂサーバーへの接続成功」を表示し、ネットワークに関する各種設定が正しい旨を表示する。
【００３９】
Ｗｅｂサーバー５０上に存在するページの取得を要求し、レスポンスのステータスコード２００の場合に接続できると判定する従来の方法では、Ｗｅｂサーバー５０上に存在しないページを要求した場合でもステータスコード２００が返ることがある。また、Ｗｅｂサーバー５０までアクセスできない場合でも、企業内イントラネット１０においてステータスコード２００が返ることがある。
上述した実施形態のように、最初にＷｅｂサーバー５０上に存在しないページの取得を要求し、ステータスコード４０４のレスポンスが返ってこない場合はエラーにすることにより、Ｗｅｂサーバー５０に実際にアクセスできたことを確認することができる。そして、更に、Ｗｅｂサーバー５０上に存在するページの取得を要求し、ステータスコード２００のレスポンスが返ってきた場合に正常に接続できたと判定することにより、Ｗｅｂサーバー５０上に正常にアクセスできていることを正確に判定することができる。
【００４０】
（変形例１）
上述した実施形態では、図４のＮｏ．１の参照ページに示すように、最初にＷｅｂサーバー５０のコンテンツページ５３ａに存在しないＵＲＬを設定している。しかし、このＵＲＬに対して、図５のＮｏ．１の参照ページに示すように、識別番号を付加情報として設定しても良い。この識別番号として、例えば、ＰＣ１１の識別、ＰＣ１１を操作するユーザーの識別及びＰＣ１１が接続可能なネットワークプリンター１２の識別のいずれかであったり、これらの識別の組み合わせであったりしても良い。
【００４１】
このように、ＵＲＬに対して識別番号を付加情報として設定することにより、Ｗｅｂサーバー５０において、Ｗｅｂサーバー５０に外部からアクセスしたＰＣ１１及びネットワークプリンター１２等の詳細を示す付加情報をログ情報５４ａとして記録することができる。これにより、Ｗｅｂサーバー５０の方から、ＰＣ１１及びネットワークプリンター１２等の接続確認を行うことができ、例えば接続トラブル時の解析等に利用することができる。
【００４２】
（変形例２）
上述した実施形態では、企業内イントラネット１０に、ＰＣ１１及びネットワークプリンター１２が接続される例を示した。しかし、ＰＣ１１及びネットワークプリンター１２に限られず、例えば、スキャナー、プロジェクター、オーディオ装置、家電機器、ＰＤＡ（Personal Digital Assistance）等、ネットワークに接続されて利用される種々のデバイスに適用するようにしても良い。
【符号の説明】
【００４３】
１…情報処理システム、１０…企業内イントラネット、１１…ＰＣ、１２…ネットワークプリンター、１２ａ…ネットワークボード、１３…イーサーネット、１４…ファイアーウォール、２１…通信部、２２…操作部、２３…表示部、２４…環境設定部、２５…第１のページ要求部、２６…第２のページ要求部、２７…レスポンス取得部、２８…接続判定部、５０…Ｗｅｂサーバー、５１…通信部、５２…ログ情報記録部、５３…コンテンツデータベース、５３ａ…コンテンツページ、５４…ログデータベース、５４ａ…ログ情報、８０…インターネット。
【図１】
2011221892.tif 000003
【図２】
2011221892.tif 000004
【図３】
2011221892.tif 000005
【図４】
2011221892.tif 000006
【図５】
2011221892.tif 000007